(57)【要約】【課題】利用者が多くの施設を使い勝手よく利用することができるように施設を管理するサーバーを提供する。【解決手段】サーバー１は、集合住宅内部に配設され、ＬＡＮやインターネット等のネットワーク１００を介して、マンション等の集合住宅における各施設２００、集合住宅の住人が所有する端末装置３００およびウェブサーバー４００に接続される。【選択図】　　　　図１
2004062495.tif 000002
【特許請求の範囲】
【請求項１】
利用者の識別情報を含むデータが記憶された記憶媒体から前記データを読み書きする少なくとも１つのＲ／Ｗおよび少なくとも１つの制御対象装置とネットワークを介して接続されるサーバーであって、
前記識別情報および前記Ｒ／Ｗに対応づけて制御対象装置に送信する制御コマンドが記録されたコマンドテーブルと、
Ｒ／Ｗから識別情報を受信すると、前記コマンドテーブルから前記識別情報および前記Ｒ／Ｗに対応づけられた制御コマンドを検索する検索手段と、
この検索手段が検索した制御コマンドを前記制御対象装置に送信する送信手段と
を備えたことを特徴とするサーバー。
【請求項２】
請求項１記載のサーバーにおいて、
前記記憶媒体に記憶されているデータを読み書きする端末Ｒ／Ｗと、利用者の予約操作を検出する予約検出手段とを有する予約端末と前記ネットワークを介して接続され；
前記制御対象装置の予約状況を管理する予約管理テーブルと、
前記予約端末から前記予約操作と前記記憶媒体の識別情報を受信すると、前記予約管理テーブルから前記予約操作により特定される前記制御対象装置を予約することができるか否かを判定する判定手段と、
この判定手段が予約することができると判定した場合、予約をした前記利用者の識別情報を前記予約管理テーブルに登録する登録手段と
をさらに備え；
前記検索手段は、前記Ｒ／Ｗから識別情報を受信すると、この識別情報が前記予約管理テーブルに登録されている、もしくは前記識別情報が前記予約管理テーブルに登録されていない場合のいずれかに対応する制御コマンドを、前記コマンドテーブルから検索する
ことを特徴とするサーバー。
【請求項３】
請求項２記載のサーバーにおいて、
前記コマンドテーブルは、
識別情報、この識別情報を読み出したＲ／Ｗに対応づけられた２以上の制御対象装置およびこれらの制御対象装置に送信する少なくとも１つの制御コマンドを記録し、
前記送信手段は、前記検索手段が前記コマンドテーブルから検索した前記制御コマンドを、前記制御対象装置に送信する
ことを特徴とするサーバー。
【請求項４】
請求項３記載のサーバーにおいて、
前記記憶媒体は、ＩＣカードであり、
前記制御対象装置は、集合住宅に配設されている施設の施錠および解錠を行う
ことを特徴とするサーバー。
【発明の詳細な説明】
【０００１】
【発明の属する技術分野】
本発明は、サーバーに関する。
【０００２】
【従来の技術】
マンションやアパート等の大型の集合住宅では、例えば駐車場、駐輪場、ゴミ置き場、会議室などの多くの施設が備えられている。このような施設を利用する場合、利用者は、管理人から鍵を借りるか、もしくは世帯毎に支給されているそれぞれの施設の鍵を用いて利用する。
【０００３】
【発明が解決しようとする課題】
しかしながら、大型の集合住宅では、施設毎に数多くの鍵を保有しなくてはならず、多くの鍵を所有すると鍵の管理が面倒になるとともに使用すべき鍵の用途がわからなくなり混乱を招くという問題があった。
そこで、本発明は、利用者が多くの施設を使い勝手よく利用することができるように施設を管理するサーバーを提供することを目的とする。
【０００４】
【課題を解決するための手段】
上述したような課題を解決するために本発明にかかるサーバーは、利用者の識別情報を含むデータが記憶された記憶媒体からデータを読み書きする少なくとも１つのＲ／Ｗおよび少なくとも１つの制御対象装置とネットワークを介して接続されるサーバーであって、識別情報およびＲ／Ｗに対応づけて制御対象装置に送信する制御コマンドが記録されたコマンドテーブルと、Ｒ／Ｗから識別情報を受信すると、コマンドテーブルから識別情報およびＲ／Ｗに対応づけられた制御コマンドを検索する検索手段と、この検索手段が検索した制御コマンドを制御対象装置に送信する送信手段とを備えたことを特徴とする。
【０００５】
上記サーバーにおいて、記憶媒体に記憶されているデータを読み書きする端末Ｒ／Ｗと、利用者の予約操作を検出する予約検出手段とを有する予約端末とネットワークを介して接続され、制御対象装置の予約状況を管理する予約管理テーブルと、予約端末から予約操作と記憶媒体の識別情報を受信すると、予約管理テーブルから予約操作により特定される制御対象装置を予約することができるか否かを判定する判定手段と、この判定手段が予約することができると判定した場合、予約をした利用者の識別情報を予約管理テーブルに登録する登録手段とをさらに備え、検索手段は、Ｒ／Ｗから識別情報を受信すると、この識別情報が予約管理テーブルに登録されている、もしくは識別情報が予約管理テーブルに登録されていない場合のいずれかに対応する制御コマンドを、コマンドテーブルから検索するようにしてもよい。
【０００６】
上記サーバーにおいて、コマンドテーブルは、識別情報、この識別情報を読み出したＲ／Ｗに対応づけられた２以上の制御対象装置およびこれらの制御対象装置に送信する少なくとも１つの制御コマンドを記録し、送信手段は、検索手段がコマンドテーブルから検索した制御コマンドを、制御対象装置に送信するようにしてもよい。このサーバーによれば、複数の制御対象装置に制御コマンドが送信される。
【０００７】
上記サーバーにおいて、記憶媒体は、ＩＣカードであり、制御対象装置は、集合住宅に配設されている施設の施錠および解錠を行うようにしてもよい。このサーバーによれば、集合住宅に配設されている施設をＩＣカードで開閉することができる。
【０００８】
【発明の実施の形態】
以下図面を参照して本実施の形態について詳細に説明に説明する。図１は集合住宅に設置された施設の扉の開閉を管理するための各構成要素の構成を示す概略図、図２は本実施の形態にかかるサーバーの構成を示すブロック図、図３は住人情報ＤＢの構成を示す図、図４は予約管理ＤＢの構成を示す図、図５（ａ）は施錠装置の構成を示すブロック図、図５（ｂ）は施錠装置の変形例を示す図である。なお、本実施の形態にかかるサーバーは、マンションやアパート等の集合住宅の各施設の扉等の施錠および解錠の管理を行う。
【０００９】
本実施の形態にかかるサーバー１は、集合住宅内部に配設され、ＬＡＮやインターネット等のネットワーク１００を介して、マンション等の集合住宅における各施設２００、集合住宅の住人が所有する端末装置３００およびウェブサーバー４００に接続される。なお、施設２００は、集合住宅内部に複数設けられている。
【００１０】
サーバー１は、図２に示すように、ネットワーク制御部１１と、入力部１２と、表示部１３と、住人情報ＤＢ１４、コマンドＤＢ１５、予約管理ＤＢ１６および制御部１７とから構成される。
【００１１】
ネットワーク制御部１１は、ネットワーク１００を介して、施設２００、端末装置３００およびウェブサーバー４００と各種情報の送受信を行う。
入力部１２は、例えばキーボード、タッチパネルまたはマウス等の入力装置からなり、サーバー１の管理人による操作入力を検出し、制御部１７に送信する。表示部１３は、例えばＣＲＴ（Ｃａｔｈｏｄｅ　Ｒａｙ　Ｔｕｂｅ）や液晶ディスプレイ等の表示装置からなり、制御部１７から受信する各種情報を表示する。
【００１２】
住人情報ＤＢ１４は、図３に示すように、集合住宅の住人が住む部屋の番号、各住人が所有するカードの識別番号、各住人が利用することができる施設の識別番号、連絡先の電話番号および連絡先のアドレス等が記憶されたテーブルからなる。
コマンドＤＢ１５は、住人が所持するＩＣカード（カード）と、後述するＲ／Ｗ２０２と、施設２００とが対応づけられた、各施設２００に送信する制御コマンドが記憶されたテーブルからなる。
予約管理ＤＢ１６は、図４に示すように、会議室や共同駐車場等の集合住宅の住人が予約して利用する施設、予約をした住人の識別番号、予約日時等が記録されたテーブルからなる。
制御部１７は、住人情報ＤＢ１４、コマンドＤＢ１５または予約管理ＤＢ１６を参照して、施設２００に送信するコマンドの検索、施設２００の予約管理等を行うことにより、検索手段、登録手段および判定手段としての機能を実現するとともにサーバー１の各種動作の制御を行う。
【００１３】
施設２００は、住戸、エントランス、駐車場、駐輪場、ゴミ置き場または会議室等の集合住宅における各施設のことであり、このような施設２００は、図１に示すように、扉２０１と、Ｒ／Ｗ２０２と、施錠装置２０３とを少なくとも備える。
【００１４】
扉２０１は、各施設の利用を制限し、施錠装置２０３により施錠および解錠が行われる。
Ｒ／Ｗ（リーダライタ）２０２は、集合住宅の住人が所持しているＩＣカードに記憶されている識別情報（識別番号）を読み込み、ネットワーク１００を介してサーバー１に送信する。
施錠装置２０３は、制御対象装置として機能し、図５（ａ）に示すように、ネットワーク制御部２０４と、施錠部２０５と、表示部２０６と、制御部２０７とを備える。
【００１５】
ネットワーク制御部２０４は、ネットワーク１００を介して、サーバー１と各種情報の送受信を行う。
施錠部２０５は、扉２０１の施錠または解錠を、制御部２０７の指示に基づいて行う。
表示部２０６は、例えばＣＲＴ（Ｃａｔｈｏｄｅ　Ｒａｙ　Ｔｕｂｅ）、ＦＥＤ（Ｆｉｅｌｄ　Ｅｍｉｓｓｉｏｎ　Ｄｉｓｐｌａｙ）、液晶ディスプレイ等の表示装置からなり、制御部２０７から入力される各種情報を表示する。
制御部２０７は、サーバー１の指示に基づいて施錠装置２０３の各種動作の制御を行う。
【００１６】
なお、本実施の形態において、Ｒ／Ｗ２０２は、施錠装置２０３とは異なる構成要素として説明したが、図５（ｂ）に示すように、施錠装置２０３を構成する要素の１つするようにしてもよい。
【００１７】
ウェブ端末３００は、例えばＰＣ（Ｐｅｒｓｏｎａｌ　Ｃｏｍｐｕｔｅｒ）、ＰＤＡ（Ｐｅｒｓｏｎａｌ　Ｄｉｇｉｔａｌ　Ａｓｓｉｓｔａｎｔｓ）または携帯電話機等のメーラーやブラウザを備えた公知の装置であり、ネットワーク１００を介してサーバー１と施設２００の予約に関する予約情報などの各種情報の送受信を行う。このようなウェブ端末３００は、各種情報を表示する表示部３０１と、カードの所持者の予約操作等の操作入力を検出する入力部３０２と、カードに記憶されている情報を読み込む端末Ｒ／Ｗ３０３とを少なくとも備える。
なお、ウェブ端末３００は、集合住宅内部および外部において用いることができ、集合住宅外部から予約操作を行う場合、予約情報はウェブサーバー４００を介してサーバー１に送信される。
【００１８】
ウェブサーバー４００は、ネットワーク１００を介してサーバー１およびウェブ端末３００と接続されており、インターネットを介してサーバー１、ウェブ端末３００が各種情報の送受信を行う際の仲介を行う。このようなウェブサーバー４００は、ディスクアレイ装置を備えており、ミラーリング、ストライピングまたはデュプレキシング等を実施することにより送受信される各種情報が損害を受けることを防ぐ。
【００１９】
次に、本実施の形態にかかるサーバー１の動作について説明する。
まず、図６を参照して、本実施の形態にかかるサーバー１の予約受付動作について説明する。図６は、本実施の形態にかかるサーバー１の予約受付動作を示すフローチャートである。
サーバー１は、集合住宅の住人が予約することができる施設２００を利用するためにウェブ端末３００により予約操作を行い、ウェブ端末３００から予約情報を受信すると（ステップＳ６０１：ＹＥＳ）、この予約情報の送信者が集合住宅の住人であるか否か、予約情報に含まれる端末Ｒ／Ｗ３０３が読み込んだカードの識別情報を住人情報ＤＢ１４から検索する（ステップＳ６０２）。なお、予約情報には、端末Ｒ／Ｗ３０３が読み込んだカードの識別情報の他、予約したい施設、予約したい日時等に関する情報が含まれる。
【００２０】
予約情報の送信者が集合住宅の住人ではない場合（ステップＳ６０３：ＮＯ）、サーバー１は、予約情報を受信したウェブ端末３００に予約することができない旨に関する情報を送信する（ステップＳ６０８）。
【００２１】
予約情報の送信者が集合住宅の住人である場合（ステップＳ６０３：ＹＥＳ）、サーバー１は、希望する施設２００が希望する時間帯に空いているか予約管理ＤＢ１６を検索する（ステップＳ６０４）。
【００２２】
施設２００が空いてなく、予約することができない場合（ステップＳ６０５：ＮＯ）、サーバー１は、予約情報を受信したウェブ端末３００に予約することができない旨に関する情報を送信する（ステップＳ６０８）。
【００２３】
施設２００が空いており、予約することができる場合（ステップＳ６０５：ＹＥＳ）、サーバー１は、受信した予約情報を予約管理ＤＢ１６に登録し（ステップＳ６０６）、予約情報を受信したウェブ端末３００に予約を受け付けた旨に関する情報を送信する（ステップＳ６０７）。
【００２４】
次に、図７を参照して、本実施の形態にかかるサーバー１の解錠動作について説明する。図７は、本実施の形態にかかるサーバー１の解錠動作を示すフローチャートである。
サーバー１は、利用者が集合住宅に配設されたいずれかの施設２００を利用するためにＲ／Ｗ２０２に自分が所持しているカードを読み込ませることにより、カードの識別情報を受信すると（ステップＳ７０１：ＹＥＳ）、施設２００が予約の必要な施設である場合（ステップＳ７０２：ＹＥＳ）、受信した識別情報が登録されているか予約管理ＤＢ１６を検索する（ステップＳ７０６）。
【００２５】
識別情報が予約管理ＤＢ１６に登録されている場合（ステップＳ７０７：ＹＥＳ）、サーバー１は、コマンドＤＢ１５から予約が必要な施設２００の扉２０１を解錠する制御コマンドを検索し、この制御コマンドを施設２００に送信する（ステップＳ７０５）。
識別情報が予約管理ＤＢ１６に登録されていない場合（ステップＳ７０７：ＮＯ）、サーバー１は、コマンドＤＢ１５から予約が必要な施設２００の扉２０１を解錠しない制御コマンドを検索し、この制御コマンドを施設２００に送信する（ステップＳ７０８）。
【００２６】
施設２００が予約が必要な施設ではない場合（ステップＳ７０２：ＮＯ）、サーバー１は、施設２００の扉２０１を解錠してよいか否か、受信した識別情報が住人情報ＤＢ１４に施設２００の扉２０１を解錠できると登録されているか否か検索する（ステップＳ７０３）。住人情報ＤＢ１４には、図３に示すように、集合住宅の個々の住人が利用することができる施設が登録されている。例えば、施設番号９４を駐車場、カード番号３０４−００３を所持している住人を子供とすると、この子供は自分のカードでは駐車場に入れない。このようにすることにより、駐車場などの危険な場所におけるいたずらや事故等を未然に防ぐことができる。
【００２７】
解錠できると登録されている場合（ステップＳ７０４：ＹＥＳ）、サーバー１は、コマンドＤＢ１５から施設２００の扉２０１を解錠する制御コマンドを検索し、この制御コマンドを施設２００に送信する（ステップＳ７０５）。
解錠できないと登録されている場合（ステップＳ７０４：ＮＯ）、サーバー１は、コマンドＤＢ１５から施設２００の扉２０１を解錠しない制御コマンドを検索し、この制御コマンドを施設２００に送信する（ステップＳ７０８）。
【００２８】
上述したように、本実施の形態によれば、利用者は、１枚のカードで住戸、エントランス、駐車場、駐輪場、ゴミ置き場または会議室などの各施設の利用および予約等ができるので、とても使い勝手がよい。
【００２９】
なお、本実施の形態において、サーバー１は、複数の施設に同時にもしくは連続してあるいは所定の間隔で制御コマンドを送信することができる。例えば、エントランスに設けられたＲ／Ｗ２０２がカードを読み込むと、サーバー１は、エントランスとともにエレベータにも制御コマンドを送信し、エントランスの扉を解錠するとともにエレベータをエントランスの階に移動させるようにすることもできる。これは、特定のＲ／Ｗ２０２から識別情報を受信するもしくは特定のカードを読み込んだ特定のＲ／Ｗ２０２から識別情報受信すると、特定の施設２００に制御コマンドを送信するようコマンドＤＢ１５に登録することにより実現することができる。このような構成にすることにより本実施の形態にかかるサーバー１は、施設の利用者にとって使い勝手がよい。
【００３０】
また、本実施の形態において、サーバー１は、集合住宅内部に配設されるように説明したが、集合住宅外部に配設するようにしてもよい。この場合、サーバー１は、集合住宅内部の各施設２００との各種情報の送受信を、ウェブサーバー４００を介して行う。このような構成にすることにより、本実施の形態にかかるサーバー１は、集合住宅から離れた場所から集合住宅を管理することができる。
【００３１】
さらに、本実施の形態おいて、サーバー１は、カードを認証することにより利用者を識別し、利用の可否を判断するならば、管理する制御対象装置としては扉２０１の施錠および解錠を行う施錠装置２０３のみに限定されない。例えば、レンタルサイクルや施設の利用キーの管理、宅配ボックス、メールボックスおよびクリーニングボックスの管理、回覧や連絡の通知、ウェブカメラの閲覧、使用料等の決済等を行う装置を制御対象装置として管理することもできる。
【００３２】
【発明の効果】
以上説明したように本発明によれば、記憶媒体だけで各制御対象装置を利用することができるので、使い勝手がよい。
また、本発明によれば、記憶媒体で制御対象装置の予約をすることもできるので、使い勝手がよい。
さらに、本発明によれば、記憶媒体により複数の制御対象装置を利用することができるので、使い勝手がよい。
【図面の簡単な説明】
【図１】集合住宅に設置された施設の扉の開閉を管理するための各構成要素の構成を示す概略図である。
【図２】本実施の形態にかかるサーバーの構成を示すブロック図である。
【図３】住人情報ＤＢの構成を示す図である。
【図４】予約管理ＤＢの構成を示す図である。
【図５】（ａ）施錠装置の構成を示すブロック図、（ｂ）施錠装置の変形例である。
【図６】本実施の形態にかかるサーバー１の予約受付動作を示すフローチャートである。
【図７】本実施の形態にかかるサーバー１の解錠動作を示すフローチャートである。
【符号の説明】
１…サーバー、１１…ネットワーク制御部、１２…入力部、１３…表示部、１４…住人情報ＤＢ、１５…コマンドＤＢ、１６…予約管理ＤＢ、１７…制御部、１００…ネットワーク、２００…施設、２０１…扉、２０２…Ｒ／Ｗ、２０３…施錠装置、２０４…ネットワーク制御部、２０５…施錠部、２０６…表示部、２０７…制御部、３００…ウェブ端末、３０１…表示部、３０２…入力部、３０３…Ｒ／Ｗ、４００…ウェブサーバー。
【図１】
2004062495.tif 000003
【図２】
2004062495.tif 000004
【図３】
2004062495.tif 000005
【図４】
2004062495.tif 000006
【図５】
2004062495.tif 000007
【図６】
2004062495.tif 000008
【図７】
2004062495.tif 000009